(57)【特許請求の範囲】
【請求項１】
軸に固定した内輪と上記軸に対して回転する外輪との間の相対回転速度を検出するために、上記外輪の軸方向端部の内周面に固定されると共に磁性体からなる被検知部からの磁界変化を検知する磁界検知機構を有する車輪速検出装置であって、
上記軸の軸方向端部に形成した凹部の周りの輪状部をかしめることで、この輪状部の外周に内輪が固定されていて、
かしめた後の上記軸方向端部に形成した凹部に、上記磁界検知機構の固定部が嵌め込まれて固定され、
上記磁界検知機構のセンス部と上記被検知部とが径方向に対向していることを特徴とする車輪速検出装置。
【発明の詳細な説明】
【０００１】
【発明の属する技術分野】
この発明は、たとえば、自動車のハブユニット等に用いられる車輪速検出装置に関する。
【０００２】
【従来の技術】
従来、この種の車輪速検出装置としては、図４に示すように、ハブユニット１２０に取り付けられたものがある。この車輪速検出装置は、内輪１０１の外周端部に固定されたパルサリング１０２と、このパルサリング１０２に形成された窓１０３に径方向内側から対向するように配置されたコイル１０５とこのコイル１０５の軸方向外方に隣接させた磁石１０６からなる磁気センサ１０７とで構成されている。この磁気センサ１０７は、外輪１０８の軸方向端部に固定された筒状カバー部材１１０の蓋部１１０Ａに固定されている。
【０００３】
この車輪速検出装置は、外輪１０８に対して内輪１０１が回転すると、パルサリング１０２の回転に伴って変化する磁界を、上記磁気センサ１０７で検出して、内輪１０１の回転速度を検出する。
【０００４】
【発明が解決しようとする課題】
ところで、この内輪１０１は、軸部材１１１の軸端ボルト１１２に螺合したナット１１３でもって、軸部材１１１に固定されている。このナット１１３が内輪１０１から軸方向に突出しているために、磁気センサ１０７の配置スペースが軸方向に突き出し、ハブユニット１２０の外形寸法の増大を招いている。
【０００５】
そこで、この発明の目的は、ハブユニットの外形寸法の増大を抑え、コンパクトなハブユニットを実現できる車輪速検出装置を提供することにある。
【０００６】
【課題を解決するための手段】
上記目的を達成するため、請求項１の発明の車輪速検出装置は、軸に固定した内輪と上記軸に対して回転する外輪との間の相対回転速度を検出するために、上記外輪の軸方向端部の内周面に固定されると共に磁性体からなる被検知部からの磁界変化を検知する磁界検知機構を有する車輪速検出装置であって、
上記軸の軸方向端部に形成した凹部の周りの輪状部をかしめることで、この輪状部の外周に内輪が固定されていて、
かしめた後の上記軸方向端部に形成した凹部に、上記磁界検知機構の固定部が嵌め込まれて固定され、上記磁界検知機構のセンス部と上記被検知部とが径方向に対向していることを特徴としている。
【０００７】
この請求項１の発明では、軸に内輪をかしめ固定するのに必要となる輪状部の内側の空きスペースである凹部に、磁界検知機構の少なくとも一部を配置したから、ハブユニットの外形寸法の増大を抑えることができ、コンパクトなハブユニットを実現できる。
【０００８】
【発明の実施の形態】
以下、この発明を図示の実施の形態により詳細に説明する。
【０００９】
〔実施の形態〕
図１に、この発明の車輪速検出装置の実施形態を備えたハブユニットの部分断面を示す。このハブユニットは、軸１の小径の軸方向端部２の軸方向端面に形成された凹部３の周りの輪状部５の外周面に内輪６が嵌合されている。この内輪６は、輪状部５を外径側にかしめることによって、軸１の軸方向端部２に対して回転不可かつ軸方向移動不可に固定されている。この内輪６の軌道６Ａと外輪７の軌道７Ａとの間に複数の玉８が周方向に配列されており、玉８は保持器１０によって保持されている。また、上記軸方向端部２の軸方向内側の中径部１１と上記外輪７の軌道７Ｂとの間に複数の玉１２が周方向に配列されている。
【００１０】
また、内輪６と外輪７の間には、玉８に隣接してエンドベアリング１３が配置されている。さらに、このエンドベアリング１３に隣接する外輪７の軸端部１５の内周面に磁性体からなる検知リング１６が固定されている。この検知リング１６は、周方向に所定間隔を隔てて複数個形成された窓１７を備えている。そして、この検知リング１６に対向するように、磁界検知機構１８のセンス部２０が配置され、この磁界検知機構１８の本体固定部２１が軸１の軸方向端面に形成された凹部３に嵌め込まれて固定されている。この磁界検知機構１８が検知した磁界による信号は、本体２２から延びているワイヤ２３で図示しない信号処理部に伝達される。
【００１１】
上記検知リング１６と磁界検知機構１８が構成する車輪速検出装置は、軸１に対して外輪７が回転することによって、磁界検知機構１８のセンス部２０に対して検知リング１６が回転する。このときの磁気変化を上記センス部２０で検知し、本体２２に内蔵した電子回路で増幅し信号処理してから、ワイヤ２３から出力する。
【００１２】
この実施形態では、軸１に内輪６をかしめ固定するのに必要となる輪状部５の内側の空きスペースである凹部３に、磁界検知機構１８の固定部２１を配置したから、ハブユニットの外形寸法の増大を抑えることができ、コンパクトなハブユニットを実現できる。
【００１３】
〔参考例〕
次に、図２(Ａ)に、この発明の車輪速検出装置の参考例を備えたハブユニットの部分断面を示す。このハブユニットは、車輪速検出装置を除いて、図１に示したハブユニットと同じ構造である。また、この参考例の車輪速検出装置は、上記実施形態の車輪速検出装置と異なる点のみを説明する。
【００１４】
この参考例では、略円筒形状に成形されたプラスチックマグネットからなる着磁パルサ３１が軸１の軸方向端部２の凹部３に圧入されている。そして、この着磁パルサ３１の回転による磁界変化を検出する磁界検知機構３２が上記着磁パルサ３１に対向して配置されている。この磁界検知機構３２は、固定側部材としての外輪７に固定された取り付け部材３３に固定されている。
【００１５】
この参考例によれば、軸１に内輪６をかしめ固定するのに必要となる輪状部５の内側の空きスペースである凹部３に、着磁パルサ３１を配置したから、ハブユニットの外形寸法の増大を抑えることができ、コンパクトなハブユニットを実現できる。
【００１６】
尚、この参考例では、凹部３に円筒形状の着磁パルサ３１を圧入したが、凹部３に、図２(Ｂ)に示すような円板部材３５を圧入し、この円板部材３５の円周部３５Ａにリング状の着磁ゴム３６を貼り付けて、着磁パルサ３７としてもよい。この場合、磁界検知機構を径方向外側に配置できるから、磁界検知機構を配置し易くなる。
【００１７】
〔参考例〕
次に、図３に、この発明の車輪速検出装置の参考例を備えたハブユニットの部分断面を示す。このハブユニットは、軸５１の軸方向端部５２の外周面に内輪５６が嵌合されている。この内輪５６は、軸５１の軸方向端面に形成された凹部５３の周りの輪状部５５を外径側にかしめることによって、軸５１の軸方向端部５２に対して回転不可かつ軸方向移動不可に固定されている。この内輪５６の軌道５６Ａと外輪５７の軌道５７Ａとの間に複数の玉５８が周方向に配列されている。また、上記軸方向端部５２の軸方向内側の中径部６１と外輪５７の軌道５７Ｂとの間に複数の玉６２が周方向に配列されている。
【００１８】
また、内輪５６の軸端部６５の外周面に磁性体からなる検知リング６６が固定されている。この検知リング６６は、周方向に所定間隔を隔てて複数個形成された窓６７を備えている。そして、この検知リング６６の窓６７の径方向内側に対向するように、磁界検知機構６８が配置されている。この磁界検知機構６８は、外輪５７の軸端部の内周面に固定された円筒カバー７０の蓋部７１に固定されている。磁界検知機構６８は、窓６７に対向するコイル７２と、このコイル７２の径方向内方に隣接する磁石７３からなる。
【００１９】
この参考例は、外輪５７に対して軸５１,内輪５６が回転することで、磁界検知機構６８に対して検知リング６６が回転し、この検知リング６６の回転によって発生する磁界の周期変化を、コイル７２と磁石７３からなる磁界検知機構６８で検出する。
【００２０】
この参考例によれば、軸５１に内輪５６をかしめで固定したことにより、ボルト,ナットが不要になって空きスペースとなった軸５１の軸方向端部５２に隣接するスペースに、磁界検知機構６８を構成するコイル７２と磁石７３を半径方向に配列した。したがって、ボルト,ナットの軸方向に隣接して、コイル７２と磁石７３を軸方向に隣接して配列した図４の従来例に比較して、軸方向寸法を大幅に減少させることができ、コンパクトなハブユニットを実現できる。
【００２１】
【発明の効果】
以上より明らかなように、請求項１の発明の車輪速検出装置は、軸に内輪をかしめ固定するのに必要となる輪状部の内側の空きスペースである凹部に、磁界検知機構の少なくとも一部を配置したから、ハブユニットの外形寸法の増大を抑えることができ、コンパクトなハブユニットを実現できる。
【図面の簡単な説明】
【図１】  この発明の車輪速検出装置の実施形態を備えるハブユニットの部分断面図である。
【図２】  図２(Ａ)はこの発明の車輪速検出装置の参考例を備えるハブユニットの部分断面図であり、図２(Ｂ)は上記参考例の磁性体からなる被検知部の変形例を示す図である。
【図３】  この発明の参考例を備えるハブユニットの部分断面図である。
【図４】  従来の車輪速検出装置を備えたハブユニットの部分断面図である。
【符号の説明】
１,５１…軸、２,５２…軸方向端部、３,５３…凹部、５,５５…輪状部、
６,５６…内輪、７,５７…外輪、８,５８…玉、１０…保持器、
１１…中径部、１２…玉、１５,６５…軸端部、１６,６６…検知リング、
１７,６７…窓、１８,３２,６８…磁界検知機構、２０…センス部、
２１…本体固定部、２２…本体、３１,３７…着磁パルサ、３５…円板部材、
３６…着磁ゴム、７２…コイル、７３…磁石。
【図１】
0004138168.tif 000002
【図２】
0004138168.tif 000003
【図３】
0004138168.tif 000004
【図４】
0004138168.tif 000005